【事件の表示】
　特願２００３−２０９５７８「インクジェット記録装置」拒絶査定不服審判事件〔平成１７年　３月２４日出願公開、特開２００５−　７４６２７〕について、次のとおり審決する。
【結　論】
　本件審判の請求は、成り立たない。
【理　由】
第１　手続の経緯
　本願は、平成１５年８月２９日の出願であって、平成２０年４月２８日付け拒絶理由通知に対して、同年７月４日付けで手続補正がされたが、同年同月３１日付けで拒絶査定され、これに対し、同年９月４日に拒絶査定不服審判が請求されるとともに、同年１０月６日付けで手続補正がなされたものである。
　これに対し、当審において、平成２０年１０月２３日付けで審査官により作成された前置報告書について、平成２１年１２月２４日付けで審尋を行ったところ、審判請求人は平成２２年３月２日付けで回答書を提出した。
                    　
第２　平成２０年１０月６日付け手続補正についての補正却下の決定
［補正却下の決定の結論］
　平成２０年１０月６日付け手続補正（以下「本件補正」という。）を却下する。
   　
［理　由］
１　本件補正の内容
（１）本件補正は、特許請求の範囲についてするものであり、その特許請求の範囲の請求項１について、
　本件補正前に、
「【請求項１】　
　印刷データに基づいてインク滴を吐出する記録ヘッドと、前記記録ヘッドにインクを供給するインク供給路の途中にインク流入口とインク流出口を備え、可撓性材料を張り合わせて偏平状に形成されたインク袋からなるサブタンクと、該サブタンクにインクを供給するメインタンクとを有するインクジェット記録装置において、
　前記インク袋は偏平面が鉛直となるように配置され、内部にインク貯留室が形成され、該インク貯留室の周縁部が溶着により封止され、且つ前記インク貯留室の上端部が前記インク流入口側から対向して設けられた前記インク流出口側に向かって次第に高さが高くなるような傾斜形状を有するように溶着が施されていることを特徴とするインクジェット記録装置。」とあったものを、
  　　　　
「【請求項１】　
　印刷データに基づいてインク滴を吐出する記録ヘッドと、前記記録ヘッドにインクを供給するインク供給路の途中にインク流入口とインク流出口を備え、可撓性材料を張り合わせて偏平状に形成されたインク袋からなるサブタンクと、該サブタンクにインクを供給するメインタンクとを有するインクジェット記録装置において、
　前記インク袋は偏平面が鉛直となるように配置され、内部にインク貯留室が形成され、該インク貯留室の周縁部が溶着により封止され、
前記インク流出口は前記インク流入口より鉛直上側に位置し、
　　　　　　           　
（２）本件補正後の請求項１に係る発明についての上記（１）の補正内容は、次のとおりのものである。
　本件補正前の請求項１の　
「且つ前記インク貯留室の上端部が」の前に、「前記インク流出口は前記インク流入口より鉛直上側に位置し、」との文言を付加する補正。
              　
２　補正目的
（１）上記１（２）の補正内容は、インク流出口とインク流入口との位置関係を限定するものであるから「特許請求の範囲の減縮」を目的とするものであると認められる。
（２）よって、
本件補正後の請求項１に係る発明についての補正
本件補正後の請求項１に係る発明
　　　　　　　　　　
３　独立特許要件
（１）本件補正発明
　本件補正発明を再掲すると、以下のとおりのものである。
「【請求項１】　
　印刷データに基づいてインク滴を吐出する記録ヘッドと、前記記録ヘッドにインクを供給するインク供給路の途中にインク流入口とインク流出口を備え、可撓性材料を張り合わせて偏平状に形成されたインク袋からなるサブタンクと、該サブタンクにインクを供給するメインタンクとを有するインクジェット記録装置において、
　前記インク袋は偏平面が鉛直となるように配置され、内部にインク貯留室が形成され、該インク貯留室の周縁部が溶着により封止され、前記インク流出口は前記インク流入口より鉛直上側に位置し、且つ前記インク貯留室の上端部が前記インク流入口側から対向して設けられた前記インク流出口側に向かって次第に高さが高くなるような傾斜形状を有するように溶着が施されていることを特徴とするインクジェット記録装置。」
　　　　　　　　　　
（２）引用文献に記載の事項
　ア　原査定の拒絶の理由に引用された本願出願前に頒布された刊行物である特開２００３−１５９８１１号公報（以下「引用文献１」という。）には、図とともに以下の事項が記載されていると認められる。
　
（ア）「【特許請求の範囲】
【請求項１】　キャリッジに搭載され印刷データに基づいてインク滴を吐出する記録ヘッドと、インク供給路を介して前記記録ヘッドに対してインクを供給するインク供給源とを備えたインクジェット式記録装置であって、
前記インク供給源と前記記録ヘッドとを接続する前記インク供給路の途中に、インク流入口とインク流出口を備えた可撓性のインク袋からなるサブタンクが接続され、前記サブタンクにおけるインク流出口がサブタンクの重力方向における上端部に形成されたことを特徴とするインクジェット式記録装置。
【請求項２】　前記サブタンクが、
表裏を構成する可撓性素材の周縁部を貼着して偏平状に形成され、偏平面が垂直となるよう設置された
   　　　　
（イ）「【００１０】この場合、好ましくは前記サブタンクが、
表裏を構成する可撓性素材の周縁部を貼着して偏平状に形成され、偏平面が垂直となるよう設置される
　　　　
（ウ）「【００１４】前記したサブタンクは、インク流入口とインク流出口を備えた可撓性のインク袋により構成されており、且つ、インク流出口がサブタンクの重力方向における上端部に形成されているので、記録装置にインクを初めて導入する場合において、サブタンク内には空気を残さずにインクを充填することが可能となる。これにより、インクの脱気度を低下させることなく、記録ヘッドに対してインクを供給することができる。」
　
（エ）「【００２０】
図２は
インク供給源として機能するインクパック４０
可及的に容積を拡大するためにインクパック４０の長辺側にマチ４２を設け、また他方の短辺側４０ｂの中央部を溶着して無用に膨張するのを阻止するように構成されている
    　
（オ）「【００２１】
図３は
サブタンク
そして、この実施の形態においては、矩形状に形成された前記した２枚の可撓性素材（アルミラミネートフィルム）の各周縁部を、例えば熱溶着手段により貼着して偏平状に形成されている
  　
（カ）「【００２８】以上の構成において、前記した
サブタンクを構成する矩形状に形成されたインク袋５０は、図６に模式的に示すように
インク流出口５２が、重力方向の上端部に位置するように配置される
【００２９】サブタンクを前記した姿勢に保持させることにより、記録装置に初めてインクを導入する初期充填動作時においては、図６に示すようにインク流入口５１からインク袋５０内にインクが導入される。そして、インク袋５０の重力方向の下方からインクが貯留され、インク袋５０の上辺部側に向かってインクの液面が上昇する。この間、前記したキャッピング装置３２によって、記録ヘッドに負圧が印加され吸引動作がなされる。そして、インクの液面がインク袋５０の上端部に至った時に、インク流出口５２を介してインクが記録ヘッド側に供給されるように作用する。　　
【００３０】したがって、インク袋５０内には空気を殆ど残さずにインクが充填される。これにより、脱気インクを用いた場合、サブタンクに残留する空気によりインクの脱気度を低下させるという問題を回避することができる。」
  　  
（キ）「【００３３】したがって、図７に示した構成においても、インク袋５０内には空気を殆ど残さずにインクが充填することができる。これにより、脱気インクを用いた場合、サブタンクに残留する空気によりインクの脱気度を低下させるという問題を回避することができる。」
　  　
（ク）「【００３５】
【発明の効果】以上の説明で明らかなように、この発明にかかるインクジェット式記録装置によると、サブタンクを構成する可撓性素材により形成されたインク袋のインク流出口を、重力方向における上端部に形成したので、ここに空気が残留する度合いを著しく低減させることができる。したがって、脱気インクを用いた場合、サブタンクに残留する空気によりインクの脱気度を低下させるという問題を回避することができる。」
　　　　　　　　
（ケ）上記（エ）ないし（カ）から、
図２に示されたインク供給源として機能するインクパック
図６に示されたサブタンクを構成する可撓性インク袋
    　
（コ）上記（カ）から、図６に示された「インク流出口５２」は「インク流入口５１」より重力方向の上側に配置されていることになり、
インク袋の上辺部がインク流入口側から対向して設けられたインク流出口側に向かって直線状であることが、
　　　　　               
　上記記載から、引用文献１には次の発明が記載されている（以下「引用発明１」という。）と認められる。
       　
「キャリッジに搭載され印刷データに基づいてインク滴を吐出する記録ヘッドと、インク供給路を介して記録ヘッドに対してインクを供給するインク供給源と、インク供給源と記録ヘッドとを接続するインク供給路の途中に、インク流入口とインク流出口を備え、表裏を構成する可撓性素材の周辺部を貼着して偏平状に形成したインク袋からなるサブタンクと、を有するインクジェット式記録装置において、　　　
　インク袋は、
　偏平面が垂直となるよう設置されるとともに、
　
矩形状に形成された２枚の可撓性素材の周縁部を熱溶着手段により
直線状
　インク袋内に空気を殆ど残さずにインクを充填することのできるサブタンクである、
　インクジェット式記録装置。」
　　　　　
　イ　原査定の拒絶の理由に引用された本願出願前に頒布された刊行物である特開平１０−１０９４２６号号公報（以下「引用文献２」という。）には、図とともに以下の事項が記載されていると認められる。
    　
（ア）「【請求項１】 圧力発生室の両側に連通する２つの共通のインク室と、前記各共通のインク室にそれぞれ外部と接続するインク供給口とを備えたインクジェット式記録ヘッドとサブタンクとをキャリッジに搭載し、また前記キャリッジ外に前記インクジェット式記録ヘッドと流路により接続するインクカートリッジと、前記インクカートリッジのインクを前記記録ヘッドに圧送するインク供給手段とを設けてなるインクジェット式記録装置のサブタンクにおいて、
透明な遮気性を備えたフィルムを折り曲げ、または２枚を重ね合わせて開口部を残すように３辺を溶着して形成された袋体
前記袋体の一側から他側に延びる複数のリブ、前記袋体の開口部が溶着される封止部、前記記録ヘッドの一方のインク供給口に接続する接続口、及び一定圧で開放される大気開放口とを備えた基体と、
からなり、前記袋体に前記リブを収容して、前記開口部を前記封止部に接着してなるインクジェット式記録装置のサブタンク。
【請求項２】前記フィルムが、酸化珪素の層を中間層として高分子材料層を積層し、光透過性を備えるように構成されている請求項１に記載のインクジェット式記録装置のサブタンク。
【請求項３】  前記封止部が断面舟形に形成されている請求項１に記載のインクジェット式記録装置のサブタンク。
【請求項４】  前記リブは、前記袋体の先端側が先細りとなるように形成されている請求項１に記載のインクジェット式記録装置のサブタンク。
【請求項５】  
前記封止部が鉛直方向に配置され、また前記袋体が前記封止部側の上部を頂点とする傾斜を有し
    　　　
（イ）「【要約】
【課題】  
サブタンク内の気泡を容易に排除する
    　     　
（ウ）「【００２６】図９は、前述のサブタンクの一実施例を示すものであって、図中符号６０は、基体で、後述する袋体７０の先端まで延び、かつ先端が先細りとなるように形成さえた複数、この実施例では３本のリブ６１、６２、６３と、後述する袋体７０の開口部を溶着するの適した舟形の封止部６５とが一体に高分子材料の射出成形等により形成して構成されている。
【００２７】この封止部６５には、キャリッジに装着されたとき上部となる領域に袋体７０の内部に通孔６６ａを介して接続する大気開放口６６が、また下部にはインク出入口６４に連通する通孔６４ａが穿設されている。
【００２８】７０は、袋体で、図１０に示したように
可撓性と遮気性を備えた
光透過性フィルム
熱溶着性を有する高分子フィルム７３を内側とするように折り曲げ、封止部６５が挿入される辺以外の３辺７０ａ，７０ｂ，７０ｃを溶着して形成されている。そして３辺の内、上部となる辺７０ａの空間が大気開放口６６の側を上部とする傾斜部７０ｄを持つように溶着されている。
　　　　　
（エ）「【００３３】さらにインクが充填されて規定量近くまで流入すると、先端側に停滞している
気泡や空気は、袋体７０の上部に形成されている傾斜部７０ｄに沿って大気連通口６６に移動し、開弁時に大気に放出される
   　　　
　上記記載から、引用文献２には次の発明が記載されている（以下「引用発明２」という。）と認められる。
      　　　　
「
可撓性と遮気性を備えた
　
袋体の上部となる辺の空間が、大気開放口の側を上部とする傾斜部を持つように熱溶着する
    　　  　　
（３）対比
　本件補正発明と引用発明とを対比する。
　ア　引用発明１の「インク供給源」は、本件補正発明の「メインタンク」に相当し、同様に、
「可撓性素材」は「可撓性材料」に、
「貼着して」は「張り合わせて」に、
「インクジェット式記録装置」は「インクジェット記録装置」に相当する。
  　　　
　イ　上記アより、引用発明１の「キャリッジに搭載され印刷データに基づいてインク滴を吐出する
記録ヘッド
インク供給源
可撓性素材の周辺部を貼着して
サブタンク
　本件補正発明の「印刷データに基づいてインク滴を吐出する
記録ヘッド
可撓性材料を張り合わせて
サブタンク
メインタンク
   　
　ウ　引用発明１の「インク袋」の周縁部は熱溶着手段により溶着されてインクが漏れ出さないように封止されることで、内部がインク貯留室となっていることから、引用発明１の「矩形状に形成された２枚の可撓性素材の周縁部を熱溶着手段により貼着して偏平状に形成され」は、本件補正発明の「インク貯留室の周縁部が溶着により封止され」に相当する。
　　　        　
　エ　引用発明１の「インク流出口はインク流入口より重力方向の上側に配置され」は、本件補正発明の「インク流出口は前記インク流入口より鉛直上側に位置し」に相当し、同様に、
「上辺部」は「上端部」に相当する。
　　　
　オ　上記ウ及びエより、 
　引用発明１の「インク袋は、
　偏平面が垂直となるよう設置されるとともに、   
　矩形状に形成された２枚の可撓性素材の周縁部を熱溶着手段により貼着して偏平状に形成され、インク流出口はインク流入口より重力方向の上側に配置されており、インク袋の上辺部がインク流入口側から対向して設けられたインク流出口側に向かって
直線状
　本件補正発明の「インク袋は偏平面が鉛直となるように配置され、内部にインク貯留室が形成され、該インク貯留室の周縁部が溶着により封止され、前記インク流出口は前記インク流入口より鉛直上側に位置し、且つ前記インク貯留室の上端部が前記インク流入口側から対向して設けられた前記インク流出口側に向かって次第に高さが高くなるような
傾斜形状
「インク袋は偏平面が鉛直となるように配置され、内部にインク貯留室が形成され、該インク貯留室の周縁部が溶着により封止され、前記インク流出口は前記インク流入口より鉛直上側に位置し、且つ前記インク貯留室の上端部が前記インク流入口側から対向して設けられた前記インク流出口側に向かって
所定形状となるように
                                　　
　カ　してみると、本件補正発明と引用発明１とは以下の点で一致する。
　＜一致点＞
「印刷データに基づいてインク滴を吐出する記録ヘッドと、前記記録ヘッドにインクを供給するインク供給路の途中にインク流入口とインク流出口を備え、可撓性材料を張り合わせて偏平状に形成されたインク袋からなるサブタンクと、該サブタンクにインクを供給するメインタンクとを有するインクジェット記録装置において、
　前記インク袋は偏平面が鉛直となるように配置され、内部にインク貯留室が形成され、該インク貯留室の周縁部が溶着により封止され、前記インク流出口は前記インク流入口より鉛直上側に位置し、且つ前記インク貯留室の上端部が前記インク流入口側から対向して設けられた前記インク流出口側に向かって
所定形状となるように
                　
　キ　一方で、本件補正発明と引用発明１とは、以下の点で相違する。
　＜相違点＞
　所定形状に関し
　本件補正発明が「インク流入口側から対向して設けられた前記インク流出口側に向かって次第に高さが高くなるような傾斜形状を有する」と特定されるものであるのに対して、引用発明１では上記特定を有していない点。
　　　　　　　　　　　　　
（４）判断
　上記相違点について検討する。
　ア　液体で充たされた容器内の空気を排除しやすくするために、容器内の上部を
傾斜形状
　    　
　イ　そして、引用発明１の「インク袋からなるサブタンク」、引用発明２の「袋体からなるサブタンク」及び上記周知技術の容器は、ともに、内部に残る空気が少なくなるように配慮した容器であるという点で共通している。
　　
　ウ　してみれば、引用発明２のサブタンクが、
袋体の上部となる辺の空間が傾斜部を有するように熱溶着している
インク袋の上辺部となる辺の空間が傾斜部を有するように熱溶着する
  　　　
　エ　上記ウにおいて、インク袋の上辺部となる辺の空間が傾斜部を有するように熱溶着した結果、引用発明１は「インク流入口側から対向して設けられた前記インク流出口側に向かって次第に高さが高くなるような傾斜形状を有する」との構成を備えることになる。
　     　
　オ　以上のことから、引用発明１において、上記＜相違点＞に係る本件補正発明の構成を採用することは、当業者が引用発明２及び周知技術に基づいて容易になし得たことである。
        　  　
　また、本件補正発明の奏する効果も、当業者が、引用発明１、引用発明２及び周知技術から予測し得る範囲内のものである。
　　　　　　　　　　
（５）独立特許要件についてのまとめ
　本件補正発明は、引用発明１、引用発明２及び周知技術に基づいて当業者が容易に発明をすることができたものであるから、特許法第２９条第２項の規定により特許出願の際独立して特許を受けることができないものである。
　　　　　　　　　　　　　　　
４　補正却下の決定のむすび
　上記「３」のとおり、本件補正発明は特許法第２９条第２項の規定により
特許出願の際独立して特許を受けることができないものであるから、本件補正は、平成１８年法律第５５号改正附則第３条第１項によりなお従前の例によるとされる同法による改正前の特許法第１７条の２第５項において準用する同法第１２６条第５項の規定に違反する。
　したがって、本件補正は、同法第１５９条第１項で読み替えて準用する同法第５３条第１項の規定により却下すべきものである。
　　　　
第３　本願発明
１　本願発明
　本件補正は上記のとおり却下されたため、本願の請求項１に係る発明（以下「本願発明」という。）は、前記「第２　１（１）」にて本件補正前の請求項１として記載したとおりのものである。
　　　  　
２　引用文献
　原査定の拒絶の理由で引用された引用文献及びその記載事項は、前記「第２　３（２）」に記載したとおりである。
　　　　　　　　　　
３　対比・判断
　本願発明は、前記「第２　３（４）」で検討した本件補正発明から、「前記インク流出口は前記インク流入口より鉛直上側に位置し、」という限定を省いたものに相当する。
　そうすると、本願発明の構成要件を全て含み、さらに他の構成要件を付加したものに相当する本件補正発明が、当業者が引用発明１、引用発明２及び周知技術に基づいて容易に発明をすることができたものであるから、本願発明も同様の理由により、当業者が引用発明１、引用発明２及び周知技術に基づいて容易に発明をすることができたものである。
　　　　  　
４　むすび
　以上のとおり、本願発明は、当業者が引用刊行物に記載の発明及び周知技術に基づいて容易に発明をすることができたものであるから、特許法第２９条第２項の規定により特許を受けることができない。
　よって、結論のとおり審決する。